(57)【要約】【課題】データパルスの無効電力を様々な映像入力信号に応じて、最小限に抑制することを目的とする。【解決手段】サブフィールドごとに画面垂直方向のデータ立上り回数を検出する検出器を設け、データ立上り回数がある所定値以下となった場合、データドライバＩＣの電源ラインに接続された電力回収回路より出力されるデータパルスの立下り時においてハイインピーダンスとする。また、データ立上り回数がある所定値以上となった場合、従来の電力回収駆動方式に切り替える。【選択図】  図１
2004212699.tif 000002
【特許請求の範囲】
【請求項１】
複数の放電セルを選択的に放電させて画像を表示する表示装置であって、画面水平方向に伸びた電極と、画面垂直方向に伸びた電極により構成される前記複数の放電セルを含む表示パネルと、入力映像信号に応じた画像データに対して、前記表示パネル内の発光すべき放電セルを選択する駆動パルスを印加する駆動手段と、前記放電セルに蓄積された電荷を回収し、回収された電荷を用いて前記駆動パルスを駆動する回収手段と、前記放電セルにおいて、前記垂直方向の画像データの立上り回数を検出する検出手段と、前記検出手段により検出された前記立上り回数に応じて前記回収手段の出力振幅を変化させるように前記回収手段を制御する制御手段とを備えることを特徴とする表示装置。
【請求項２】
１フィールドを複数のサブフィールドに分割してサブフィールドごとに選択された放電セルを放電させて階調表示を行うために、１フィールドの画像データを各サブフィールドの画像データに変換する変換手段をさらに備え、
前記検出手段は、サブフィールドごとの前記垂直方向の画像データの立上り回数を検出する検出器を含み、前記制御手段は、前記サブフィールド垂直方向画像データ立上り回数検出手段により検出されたサブフィールドごとの立上り回数に応じて前記回収手段の出力振幅を変化させるように前記回収手段を制御することを特徴とする請求項１記載の表示装置。
【請求項３】
複数の放電セルは、容量性負荷を含み、回収手段は駆動手段の電源ラインに接続される少なくとも一つのインダクタンス素子を有するインダクタンス手段と、前記放電セルに蓄積された電荷を回収し、回収された電荷を蓄積する容量性素子と、前記容量性負荷と前記インダクタンス素子とのＬＣ共振により前記駆動パルスを駆動する共振駆動手段とを含むことを特徴とする請求項１記載の表示装置。
【請求項４】
制御手段は、検出手段により検出された立上り回数が少ないほど、回収手段の出力振幅を減少させるように制御することを特徴とする請求項１乃至請求項３のいずれかに記載の表示装置。
【請求項５】
制御手段は、検出手段により検出された立上り回数が所定値以上になった場合、回収手段の出力振幅は変化させないように前記回収手段を制御することを特徴とする請求項１乃至請求項４のいずれかに記載の表示装置。
【請求項６】
制御手段は、複数の放電セルを選択する期間以外には、回収手段の出力をＧＮＤに接地させるように前記回収手段を制御することを特徴とする請求項１乃至請求項５のいずれかに記載の表示装置。
【請求項７】
回収手段は、表示パネルを水平方向に少なくとも２つ以上に分割して、駆動パルスを印加できるように構成され、前記制御手段は、前記少なくとも２つ以上に分割された回収手段より印加される駆動パルスの立上りのタイミングをずらすように制御することを特徴とする請求項１乃至請求項６のいずれかに記載の表示装置。
【請求項８】
複数の放電セルを選択的に放電させて画像を表示する表示装置であって、前記複数の放電セルを含む表示パネルと、入力映像信号に応じた画像データに対して、前記表示パネル内の発光すべき放電セルを選択する駆動パルスを印加する駆動手段と、前記放電セルに蓄積された電荷を回収し、回収された電荷を用いて前記駆動パルスを駆動する回収手段と、前記放電セルにおいて、垂直方向の画像データの立下り回数を検出する検出手段と、前記検出手段により検出された前記立下り回数に応じて前記回収手段の出力振幅を変化させるように前記回収手段を制御する制御手段とを備えることを特徴とする表示装置。
【請求項９】
１フィールドを複数のサブフィールドに分割してサブフィールドごとに選択された放電セルを放電させて階調表示を行うために、１フィールドの画像データを各サブフィールドの画素データに変換する変換手段をさらに備え、検出手段はサブフィールドごとの垂直方向の画像データの立下り回数を検出する検出器を含み、制御手段は、前記検出手段により検出されたサブフィールドごとの立下り回数に応じて前記回収手段の出力振幅を変化させるように前記回収手段を制御することを特徴とする請求項８記載の表示装置。
【請求項１０】
制御手段は、検出手段により検出された立下り回数が少ないほど、前記回収手段の出力振幅を減少させるように制御することを特徴とする請求項８または請求項９のいずれかに記載の表示装置。
【発明の詳細な説明】
【０００１】
【発明の属する技術分野】
本発明は、複数の放電セルを選択的に放電させて画像を表示する表示装置およびその駆動方法に関するものである。
【０００２】
【従来の技術】
ＰＤＰ（プラズマディスプレイパネル）を用いたプラズマディスプレイ装置は、薄型化および大画面化が可能であるという利点を有する。このプラズマディスプレイ装置では、画素を構成する放電セルの放電の際の発光を利用することにより画像を表示している。
【０００３】
図１７は、従来のＰＤＰのデータドライバの構成を示す回路図である。図１７に示すデータドライバは、電力回収回路１０９とデータドライバＩＣから構成され、ＦＥＴ（電界効果型トランジスタ、以下トランジスタと称す）Ｑ１０１〜Ｑ１０４、回収コンデンサＣ１０１、回収コイルＬ１０１、ダイオードＤ１０１，Ｄ１０２を含む。
【０００４】
電力回収回路１０９は、データドライバＩＣにかかる無効電力を軽減するのに用いられる。電力回収回路１０９において、トランジスタＱ１０１は、一端が電源端子Ｖ１０１に接続され、他端がノードＮ１０１に接続され、ゲートには制御信号Ｓ１０１が入力される。電源端子Ｖ１０１には、電圧Ｖｄａが印加される。トランジスタＱ１０２は、一端がノードＮ１０１に接続され、他端が接地端子に接続され、ゲートには制御信号Ｓ１０２が入力される。ノードＮ１０１は、データドライバＩＣの電源ラインに接続される。
【０００５】
回収コンデンサＣ１０１は、ノードＮ１０３と接地端子との間に接続される。トランジスタＱ１０３およびダイオードＤ１０１は、ノードＮ１０３とノードＮ１０２との間に直列に接続される。ダイオードＤ１０２およびトランジスタＱ１０４は、ノードＮ１０２とノードＮ１０３との間に直列に接続される。トランジスタＱ１０３のゲートには、制御信号Ｓ１０３が入力され、トランジスタＱ１０４のゲートには制御信号Ｓ１０４が入力される。回収コイルＬ１０１は、ノードＮ１０２とノードＮ１０１との間に接続される。
【０００６】
図１８は、書き込み期間にデータドライバＩＣの電源ラインにデータパルスを供給する電力回収回路１０９の書き込み期間の動作の一例を示すタイミング図である。図１８には、図１７のノードＮ１０１の電圧およびトランジスタＱ１０１〜Ｑ１０４に入力される制御信号Ｓ１０１〜Ｓ１０４が示される。なお、制御信号Ｓ１０１〜Ｓ１０４は、データドライバ駆動制御信号ＤＳとしてサブフィールド処理器３から出力される信号である。
【０００７】
まず、期間ＴＡにおいて、制御信号Ｓ１０３がハイレベルになりトランジスタＱ１０３がオンする。このとき、制御信号Ｓ１０１、Ｓ１０２、Ｓ１０４はローレベルにありトランジスタＱ１０１、Ｑ１０２、Ｑ１０４はオフしている。したがって、回収コンデンサＣ１０１がトランジスタＱ１０３およびダイオードＤ１０１を介して回収コイルＬ１０１に接続され、回収コイルＬ１０１およびパネル容量ＣｐによるＬＣ共振により、ノードＮ１０１の電圧が滑らかに上昇する。このとき、回収コンデンサＣ１０１の電荷がトランジスタＱ１０３、ダイオードＤ１０１および回収コイルＬを介してデータドライバＩＣの電源ラインへ放出される。
【０００８】
次に、期間ＴＢにおいて、制御信号Ｓ１０１がハイレベルになりトランジスタＱ１０１がオンし、制御信号Ｓ１０３がローレベルになりトランジスタＱ１０３がオフする。したがって、ノードＮ１０１の電圧がＶｄａまで上昇する。
【０００９】
次に、期間ＴＣにおいて、制御信号Ｓ１０１がローレベルになりトランジスタＱ１０１がオフし、制御信号Ｓ１０４がハイレベルになりトランジスタＱ１０４がオンする。したがって、回収コンデンサＣ１０１がダイオードＤ１０２およびトランジスタＱ１０４を介して回収コイルＬ１０１に接続され、回収コイルＬ１０１およびパネル容量ＣｐによるＬＣ共振により、ノードＮ１０１の電圧が緩やかに降下する。このとき、パネル容量Ｃｐに蓄えられた電荷は、回収コイルＬ１０１、ダイオードＤ１０２およびトランジスタＱ１０４を介して回収コンデンサＣ１０１に蓄えられ、電荷が回収される。
【００１０】
次に、期間ＴＤにおいて、制御信号Ｓ１０４がローレベルになりトランジスタＱ１０４がオフし、制御信号Ｓ１０２がハイレベルになりトランジスタＱ１０２がオンする。したがって、ノードＮ１０１の電圧が接地端子まで下降する。
【００１１】
上記の動作を書き込み期間において接地端子と電圧Ｖｄａとの間で周期的に繰り返し行う（例えば、特許文献１参照）。また、データドライバＩＣにかかる無効電力を、パネル負荷に応じて軽減している場合もあった（例えば、特許文献２または特許文献３参照）。
【００１２】
【特許文献１】
特許第２９４６９２１号公報
【特許文献２】
特許第３０８００６４号公報
【特許文献３】
特開２００２−１５６９４１号公報
【００１３】
【発明が解決しようとする課題】
上記のように、従来のプラズマディスプレイ装置では、電力回収回路を用いてデータドライバＩＣからパネルへ印加されるデータパルスの無効電力を低減している。電力回収回路を用いない場合と電力回収回路を用いた場合のデータドライバＩＣにかかる無効電力を比較すると、動画などの自然画に対しては、電力回収回路を用いた方が十分に無効電力が低いものの、画面全体が白など、データパルスを連続的にパネルへ印加する場合には、むしろ電力回収回路を用いた方が無効電力が増大してしまう。
【００１４】
本発明の目的は、電力回収回路を用いながらも、どんな映像信号が入力されても、データパルスの無効電力を常に最小限の電力で駆動させることのできる駆動方法を提供することである。
【００１５】
【課題を解決するための手段】
（１）第１の発明
第１の発明に係る表示装置は、複数の放電セルを選択的に放電させて画像を表示する表示装置であって、画面水平方向に伸びた電極と、画面垂直方向に伸びた電極により構成される複数の放電セルを含む表示パネルと、入力映像信号に応じた画像データに対して、表示パネル内の発光すべき放電セルを選択する駆動パルスを印加する駆動手段と、放電セルに蓄積された電荷を回収し、回収された電荷を用いて駆動パルスを駆動する回収手段と、垂直方向の画像データの立上り回数を検出する検出手段と、検出手段により検出された立上り回数に応じて回収手段の出力振幅を変化させるように回収手段を制御する制御手段とを備えるものである。
【００１６】
本発明に係る表示装置においては、垂直方向の画像データの立上り回数を検出し、検出された立上り回数に応じて回収手段により出力される駆動パルスの振幅を変化させて表示パネル内の選択された放電セルに印加して放電を発生させている。したがって、データ立上り回数に応じた最適な駆動パルスを印加することができるので、駆動パルスの無効電力を最小限に低減することができる。
【００１７】
（２）第２の発明
第２の発明に係る表示装置は、第１の発明に係る表示装置の構成において、１フィールドを複数のサブフィールドに分割してサブフィールドごとに選択された放電セルを放電させて階調表示を行うために、１フィールドの画像データを各サブフィールドの画像データに変換する変換手段をさらに備え、検出手段は、サブフィールドごとの垂直方向の画像データの立上り回数を検出する検出器を含み、制御手段は、サブフィールド垂直方向画像データ立上り回数検出手段により検出されたサブフィールドごとの立上り回数に応じて回収手段の出力振幅を変化させるように回収手段を制御するものである。
【００１８】
この場合、サブフィールドごとに検出したデータ立上り回数に応じて駆動パルスの振幅を変化させることができるので、階調表示を行う場合でも、データ立上り回数に応じて、駆動パルスの無効電力を最小限に低減することができる。
【００１９】
（３）第３の発明
第３の発明に係る表示装置は、第１または第２の発明に係る表示装置の構成において、複数の放電セルは、容量性負荷を含み、回収手段は、駆動手段の電源ラインに接続される少なくとも一つのインダクタンス素子を有するインダクタンス手段と、放電セルに蓄積された電荷を回収し、回収された電荷を蓄積する容量性素子と、容量性負荷とインダクタンス素子とのＬＣ共振により駆動パルスを駆動する共振駆動手段とを備えるものである。
【００２０】
この場合、回収手段に有するインダクタンスＬと容量性負荷ＣとのＬＣ共振により駆動パルスを駆動し、駆動手段の電源ラインに供給するため、少ない消費電力で駆動パルスを駆動することができる。
【００２１】
（４）第４の発明
第４の発明に係る表示装置は、第１〜２のいずれかの発明に係る表示装置の構成において、制御手段は、検出手段により検出された立上り回数が少ないほど、回収手段の出力振幅を減少させるように制御するものである。
【００２２】
この場合、データ立上り回数が少ないほど、駆動パルスの振幅を減少させることで、より小さい無効電力で駆動することができる。
【００２３】
（５）第５の発明
第５の発明に係る表示装置は、第１〜４のいずれかの発明に係る表示装置の構成において、制御手段は、検出手段により検出された立上り回数が所定値以上になった場合、回収手段の出力振幅は変化させないように回収手段を制御するものである。
【００２４】
この場合、検出されたデータ立上り回数が所定値以上になった場合に回収手段の出力振幅を変化させないようにすることで、データ立上り回数が所定値以上になっても回収手段の出力振幅を変化させた場合よりも、駆動パルスの無効電力を低減させることができる。
【００２５】
（６）第６の発明
第６の発明に係る表示装置は、第１〜５のいずれかの発明に係る表示装置の構成において、制御手段は、複数の放電セルを選択する期間以外には、回収手段の出力をＧＮＤに接地させるように回収手段を制御するものである。
【００２６】
この場合、無効電力を低減できる駆動パルスを駆動する駆動回路のフローティング電源としてチャージポンプ回路を導入した場合、複数の放電セルを選択する期間以外には、回収手段の出力をＧＮＤに接地させることで、電位をチャージさせるコンデンサの電位を常に保つことができる。
【００２７】
（７）第７の発明
第７の発明に係る表示装置は、第１〜５のいずれかの発明に係る表示装置の構成において、回収手段の出力振幅が所定値以下にさせないように回収手段を調整する調整手段を備えるものである。
【００２８】
この場合、回収手段の出力振幅をある所定値以下にさせないように調整することで、放電セルすべてが点灯するような場合、書き込み放電をより安定に行うことができる。
【００２９】
（８）第８の発明
第７の発明に係る表示装置は、第７の発明に係る表示装置の構成において、調整手段は、回収手段に含まれるコンデンサの電位をある一定レベル以上の電位とならないように調整するものである。
【００３０】
この場合、回収手段に含まれるコンデンサの電位をある一定レベル以上の電位とならないように調整回路を設けることにより、回収手段の出力である駆動パルスは、ある一定レベル以下の振幅とならないため、放電セルすべてが点灯するような場合、書き込み放電をより安定に行うことができる。
【００３１】
（９）第９の発明
第９の発明に係る表示装置は、第７または第８の発明に係る表示装置の構成において、回収手段は、表示パネルを水平方向に少なくとも２つ以上に分割して、駆動パルスを印加できるように構成され、制御手段は、少なくとも２つ以上に分割された回収手段より印加される駆動パルスの立上りのタイミングをずらすように制御するものである。
【００３２】
この場合、ある一定レベルの振幅を保った駆動パルスが、少なくとも２つ以上に分割されたタイミングで印加されるため、書き込み放電のピーク電流を低減することができ、より安定な状態で書き込み放電を行うことができる。
【００３３】
（１０）第１０の発明
第１０の発明に係る表示装置は、複数の放電セルを選択的に放電させて画像を表示する表示装置であって、画面行方向に伸びた電極と、画面垂直方向に伸びた電極により構成される複数の放電セルを含む表示パネルと、入力映像信号に応じた画像データに対して、表示パネル内の発光すべき放電セルを選択する駆動パルスを印加する駆動手段と、放電セルに蓄積された電荷を回収し、回収された電荷を用いて駆動パルスを駆動する回収手段と、垂直方向の画像データの立下り回数を検出する検出手段と、検出手段により検出された立下り回数に応じて回収手段の出力振幅を変化させるように回収手段を制御する制御手段とを備えるものである。
【００３４】
本発明に係る表示装置においては、垂直方向の画像データの立下り回数を検出し、検出された立下り回数に応じて回収手段により出力される駆動パルスの振幅を変化させて表示パネル内の選択された放電セルに印加して放電を発生させている。したがって、データ立下り回数に応じた最適な駆動パルスを印加することができるので、駆動パルスの無効電力を最小限に低減することができる。
【００３５】
（１１）第１１の発明
第１１の発明に係る表示装置は、第１０の発明に係る表示装置の構成において、１フィールドを複数のサブフィールドに分割してサブフィールドごとに選択された放電セルを放電させて階調表示を行うために、１フィールドの画像データを各サブフィールドの画像データに変換する変換手段をさらに備え、検出手段は、サブフィールドごとの垂直方向の画像データの立下り回数を検出する検出器を含み、制御手段は、サブフィールド垂直方向画像データ立下り回数検出手段により検出されたサブフィールドごとの立下り回数に応じて回収手段の出力振幅を変化させるように回収手段を制御するものである。
【００３６】
この場合、サブフィールドごとに検出したデータ立下り回数に応じて駆動パルスの振幅を変化させることができるので、階調表示を行う場合でも、データ立下り回数に応じて、駆動パルスの無効電力を最小限に低減することができる。
【００３７】
（１２）第１２の発明
第１２の発明に係る表示装置は、第１０〜１１のいずれかの発明に係る表示装置の構成において、制御手段は、検出手段により検出された立下り回数が少ないほど、回収手段の出力振幅を減少させるように制御するものである。
【００３８】
この場合、データ立下り回数が少ないほど、駆動パルスの振幅を減少させることで、より小さい無効電力で駆動することができる。
【００３９】
（１３）第１３の発明
第１３の発明に係る表示装置は、第１０〜１２のいずれかの発明に係る表示装置の構成において、制御手段は、検出手段により検出された立下り回数が所定値以上になった場合、回収手段の出力振幅は変化させないように回収手段を制御するものである。
【００４０】
この場合、検出されたデータ立下り回数が所定値以上になった場合に回収手段の出力振幅を変化させないようにすることで、データ立下り回数が所定値以上になっても回収手段の出力振幅を変化させた場合よりも、駆動パルスの無効電力を低減させることができる。
【００４１】
【発明の実施の形態】
以下、本発明に係る表示装置の一例としてＡＣ型プラズマディスプレイ装置について説明する。
【００４２】
（実施の形態１）
図１は、本発明の第１の実施の形態によるプラズマディスプレイ装置の構成を示すブロック図である。
【００４３】
図１のプラズマディスプレイ装置は、Ａ／Ｄコンバータ（アナログ・デジタル変換器）１、映像信号−サブフィールド対応付け器２、サブフィールド処理器３、データドライバ４、スキャンドライバ５、サステインドライバ６、ＰＤＰ（プラズマディスプレイパネル）７およびサブフィールドデータ立上り回数検出器８を備える。
【００４４】
ＰＤＰ７は、複数のデータ電極（アドレス電極）１１、複数のスキャン電極（走査電極）１２および複数のサステイン電極（維持電極）１３を含む。複数のデータ電極１１は、画面の垂直方向に配列され、複数のスキャン電極１２および複数のサステイン電極１３は、画面の水平方向に配列されている。また、複数のサステイン電極１３は、共通に接続されている。データ電極１１、スキャン電極１２およびサステイン電極１３の各交点には、放電セル１４が形成され、各放電セル１４が画面上の画素を構成する。
【００４５】
データドライバ４は、ＰＤＰ７の複数のアドレス電極１１に接続されている。スキャンドライバ５は、各スキャン電極１２ごとに設けられた駆動回路を内部に備え、各駆動回路がＰＤＰ７の対応するスキャン電極１２に接続されている。サステインドライバ６は、ＰＤＰ７の複数のサステイン電極１３に接続されている。
【００４６】
Ａ／Ｄコンバータ１には、映像信号ＶＤが入力される。Ａ／Ｄコンバータ１は、アナログの映像信号ＶＤをデジタルの画像データに変換し、映像信号−サブフィールド対応付け器２へ出力する。映像信号−サブフィールド対応付け器２は、１フィールドを複数のサブフィールドに分割して表示するため、１フィールドの画像データから各サブフィールドの画像データＳＰを作成し、サブフィールド処理器３およびサブフィールドデータ立上り回数検出器８へ出力する。
【００４７】
サブフィールドデータ立上り回数検出器８は、サブフィールドごとの画像データＳＰから、ＰＤＰ７上で垂直方向つまりデータ電極１１に印加される画像データの立上り回数を検出し、その結果をサブフィールドデータ立上り回数信号ＳＬとしてサブフィールド処理器３へ出力する。
【００４８】
具体的には、サブフィールドデータ立上り回数検出器８は、映像信号−サブフィールド対応付け器２によって生成されるサブフィールドごとの放電セルの点灯／非点灯を表す１ビット情報に分解された映像信号情報を用いて、画面垂直方向ごとのつまりデータ電極１１ごとにおいて、すべてのサブフィールドのデータの立上り回数を別々に計算し、その結果をサブフィールドデータ立上り回数信号ＳＬとしてサブフィールド処理器３へ出力する。
【００４９】
例えば、サブフィールドデータ立上り回数検出器８は、内部にカウンタを備え、点灯／非点灯を表す１ビット情報に分解されたデータ電極１１ごとの映像信号情報が点灯を表してから非点灯を表すまでの信号の立上りに対して、カウンタの値を１ずつ増加させることにより、そのカウンタ値の総数をサブフィールドごとに求める。
【００５０】
サブフィールド処理器３は、サブフィールドごとの画像データＳＰおよびサブフィールドデータ立上り回数検出器８等からデータドライバ駆動制御信号ＤＳ、スキャンドライバ駆動制御信号ＣＳおよびサステインドライバ駆動制御信号ＵＳを作成し、それぞれデータドライバ４、スキャンドライバ５およびサステインドライバ６へ出力する。
【００５１】
データドライバ４は、データドライバ駆動制御信号ＤＳに従い、書き込み期間において、画像データＳＰに応じてＰＤＰ７の該当するデータ電極１１にデータパルスを印加する。スキャンドライバ５は、スキャンドライバ駆動制御信号ＣＳに従い、書き込み期間において、シフトパルスを垂直走査方向にシフトしつつＰＤＰ７の複数のスキャン電極１２に書き込みパルスを順に印加する。これにより、該当する放電セル１４においてアドレス放電が行われる。
【００５２】
また、上記の書き込み期間において、データドライバ４は、後述するように、データドライバ駆動制御信号ＤＳに従い、サブフィールドデータ立上り回数信号ＳＬに応じてデータパルスの波形を変化させる。
【００５３】
また、スキャンドライバ５は、スキャンドライバ駆動制御信号ＣＳに従い、維持期間において、周期的な維持パルスをＰＤＰ７の複数のスキャン電極１２に印加する。一方、サステインドライバ６は、サステインドライバ駆動制御信号ＵＳに従い、維持期間において、ＰＤＰ７の複数のサステイン電極１３に、スキャン電極１２の維持パルスに対して１８０°位相のずれた維持パルスを同時に印加する。これにより、該当する放電セル１４において維持放電が行われる。
【００５４】
図１に示すプラズマディスプレイ装置では、階調表示駆動方式として、ＡＤＳ（Ａｄｄｒｅｓｓ  Ｄｉｓｐｌａｙ−Ｐｅｒｉｏｄ  Ｓｅｐａｒａｔｉｏｎ：アドレス・表示期間分離）方式が用いられている。ＡＤＳ方式では、１フィールド（１／６０秒＝１６．６７ｍｓ）を複数のサブフィールドに時間的に分割する。
【００５５】
例えば、８ビットで２５６階調表示を行う場合には、１フィールドを８つのサブフィールドＳＦ１〜ＳＦ８に分割する。各サブフィールドＳＦ１〜ＳＦ８では、それぞれ、「１」、「２」、「４」、「８」、「１６」、「３２」、「６４」、「１２８」の明るさの重み付けがなされ、これらのサブフィールドＳＦ１〜ＳＦ８を組み合わせることにより、明るさのレベルをレベル０〜レベル２５５までの２５６段階で調整し、階調表示を行うことができる。なお、サブフィールドの分割数および重み付け値等は、上記の例に特に限定されず、種々の変更が可能であり、例えば、動画疑似輪郭を低減するために、サブフィールドＳＦ８を二つに分割して二つのサブフィールドの重み付け値を６４に設定してもよい。
【００５６】
図２は、図１のＰＤＰ７におけるデータ電極１１、スキャン電極１２およびサステイン電極１３の駆動電圧の一例を示すタイミング図である。
【００５７】
初期化および書き込み期間には、複数のスキャン電極１２に初期化パルス（セットアップパルス）Ｐｓｅｔが同時に印加される。その後、複数のスキャン電極１２に書き込みパルスＰｗが順に印加される。そして、データ電極１１からデータパルスＰｄａを受けた放電セル１４だけに所定の書き込み処理が行われる。これによりＰＤＰ７の該当する放電セルにおいてアドレス放電が行われる。
【００５８】
次に、維持期間において、複数のスキャン電極１２に維持パルスＰｓｃが周期的に印加され、複数のサステイン電極１３に維持パルスＰｓｕが周期的に印加される。維持パルスＰｓｕの位相は、維持パルスＰｓｃの位相に対して１８０°ずれている。これにより、アドレス放電に続いて維持放電が起こる。
【００５９】
次に、図１に示すデータドライバ４について詳細に説明する。図３は、図１に示すデータドライバ４の構成を示す回路図である。
【００６０】
図３に示すデータドライバ４は、電力回収回路９とデータドライバＩＣ１０から構成され、ＦＥＴ（電界効果型トランジスタ、以下トランジスタと称す）Ｑ１〜Ｑ４、Ｑ１１〜Ｑ１ｎ、Ｑ２１〜Ｑ２ｎ、回収コンデンサＣ１、回収コイルＬ、ダイオードＤ１，Ｄ２を含む。
【００６１】
電力回収回路９において、トランジスタＱ１は、一端が電源端子Ｖ１に接続され、他端がノードＮ１に接続され、ゲートには制御信号Ｓ１が入力される。電源端子Ｖ１には、電圧Ｖｄａが印加される。トランジスタＱ２は、一端がノードＮ１に接続され、他端が接地端子に接続され、ゲートには制御信号Ｓ２が入力される。
【００６２】
ノードＮ１は、データドライバＩＣ１０の電源ラインに接続される。
【００６３】
回収コンデンサＣは、ノードＮ３と接地端子との間に接続される。トランジスタＱ３およびダイオードＤ１は、ノードＮ３とノードＮ２との間に直列に接続される。ダイオードＤ２およびトランジスタＱ４は、ノードＮ２とノードＮ３との間に直列に接続される。トランジスタＱ３のゲートには、制御信号Ｓ３が入力され、トランジスタＱ４のゲートには制御信号Ｓ４が入力される。回収コイルＬは、ノードＮ２とノードＮ１との間に接続される。
【００６４】
データドライバＩＣ１０において、トランジスタＱ１１〜Ｑ１ｎは、一端がノードＮ１に接続され、他端がそれぞれデータ電極Ｃｐ１〜Ｃｐｎに接続され、ゲートには制御信号Ｓ１１〜Ｓ１ｎが入力される。トランジスタＱ２１〜Ｑ２ｎは、一端がそれぞれデータ電極Ｃｐ１〜Ｃｐｎに接続され、他端が接地端子に接続され、ゲートには制御信号Ｓ２１〜Ｓ２ｎが入力される。
【００６５】
図４に示すサブフィールド処理器３は、データ立上り回数比較器３１、Ｓ２タイミング決定部３２、放電制御信号発生器３３を含む。
【００６６】
データ立上り回数比較器３１は、Ｓ２タイミング決定部３２と接続され、実験データに基づくある所定のデータ立上り回数を記憶している。例えば、データ立上り回数が最大となる回数の９５％のデータ立上り回数が記憶されている。サブフィールドデータ立上り回数検出器８から出力されるサブフィールドデータ立上り回数信号ＳＬと比較し、サブフィールドデータ立上り回数信号ＳＬがデータ立上り回数が最大となる回数の９５％以上であった場合、１ビットのハイ信号をＳ２タイミング決定部３２へ出力し、９５％以下であれば、１ビットのロー信号をＳ２タイミング決定部３２へ出力する。
【００６７】
Ｓ２タイミング決定部３２は、データ立上り回数比較器３１と放電制御信号発生器３３に接続され、データ立上り回数比較器３１から出力される信号に応じて、Ｓ２の制御タイミングを放電制御信号発生器３３へ出力する。
【００６８】
放電制御信号発生器３３は、Ｓ２タイミング決定部３２により決定されたＳ２の制御タイミングで電力回収回路９がデータパルスを出力するように、データドライバ駆動制御信号ＤＳとして制御信号Ｓ１〜Ｓ４を出力する。
【００６９】
本実施の形態では、ＰＤＰ７が表示パネルに相当し、データドライバＩＣ１０が駆動手段に相当し、電力回収回路９が回収手段に相当し、サブフィールドデータ立上り回数検出器８が検出手段に相当し、サブフィールド処理器３が制御手段に相当し、映像信号−サブフィールド対応付け器２が変換手段に相当する。また、回収コンデンサＣ１が容量性素子に相当し、回収コイルＬがインダクタンス手段およびインダクタンス素子に相当する。
【００７０】
図５は、サブフィールドデータ立上り回数信号がデータ立上り回数が最大となる回数の９５％以下である場合の書き込み期間にデータドライバＩＣの電源ラインにデータパルスを供給する電力回収回路９の書き込み期間の動作の一例を示すタイミング図である。図５には、図３のノードＮ１の電圧およびトランジスタＱ１〜Ｑ４に入力される制御信号Ｓ１〜Ｓ４が示される。なお、制御信号Ｓ１〜Ｓ４は、データドライバ駆動制御信号ＤＳとしてサブフィールド処理器３から出力される信号である。
【００７１】
まず、期間ＴＡにおいて、制御信号Ｓ３がハイレベルになりトランジスタＱ３がオンする。このとき、制御信号Ｓ１、Ｓ２、Ｓ４はローレベルにありトランジスタＱ１、Ｑ２、Ｑ４はオフしている。したがって、回収コンデンサＣ１がトランジスタＱ３およびダイオードＤ１を介して回収コイルＬに接続され、回収コイルＬおよびパネル容量ＣｐによるＬＣ共振により、ノードＮ１の電圧が滑らかに上昇する。このとき、回収コンデンサＣ１の電荷がトランジスタＱ３、ダイオードＤ１および回収コイルＬを介してデータドライバＩＣ１０の電源ラインへ放出される。
【００７２】
次に、期間ＴＢにおいて、制御信号Ｓ１がハイレベルになりトランジスタＱ１がオンし、制御信号Ｓ３がローレベルになりトランジスタＱ３がオフする。ノードＮ１の電圧がＶｄａまで上昇する。
【００７３】
次に、期間ＴＣにおいて、制御信号Ｓ１がローレベルになりトランジスタＱ１がオフし、制御信号Ｓ４がハイレベルになりトランジスタＱ４がオンする。したがって、回収コンデンサＣ１がダイオードＤ２およびトランジスタＱ４を介して回収コイルＬに接続され、回収コイルＬおよびパネル容量ＣｐによるＬＣ共振により、ノードＮ１の電圧が緩やかに降下する。このとき、パネル容量Ｃｐに蓄えられた電荷は、回収コイルＬ、ダイオードＤ２およびトランジスタＱ４を介して回収コンデンサＣ１に蓄えられ、電荷が回収される。
【００７４】
次に、期間ＴＤにおいて、制御信号Ｓ４がローレベルになりトランジスタＱ４がオフする。したがって、トランジスタＱ１〜Ｑ４すべてがオフしているため、ノードＮ１はハイインピーダンスとなる。
【００７５】
このとき、電力回収回路９が供給するデータドライバＩＣ１０が表示させる画面垂直方向のデータの立上り回数に応じて、パネル容量への充放電量が変化するため、その充放電量に応じて、回収電位Ｖｍｉｄが変位する。このため、駆動パルスの電位は回収電位Ｖｍｉｄに応じて、電位ＶＬまで下降する。
【００７６】
上記の動作を書き込み期間において電位ＶＬと電圧Ｖｄａとの間で周期的に繰り返し行う。
【００７７】
また、図３の電力回収回路９のトランジスタＱ１およびＱ３のソース側は、接地端子に接続されていないため、制御信号Ｓ１およびＳ３は、フローティング信号として、トランジスタＱ１およびＱ３に入力される。このフローティング信号を発生させるのに必要なフローティング電源は、ＤＣ／ＤＣコンバータやチャージポンプ回路を利用して作成されるのが一般的であるが、チャージポンプ回路を利用した場合、チャージポンプ回路に使用されるコンデンサに十分な電位が充電されなければトランジスタＱ１およびＱ３は正常動作を行うことができない。そこで、本実施例では、トランジスタＱ２に入力される制御信号Ｓ２は、書き込み期間以外では、ハイの信号をトランジスタＱ２の入力し、トランジスタＱ２がオンすることで、電力回収回路の出力をＧＮＤに接地させ、チャージポンプ回路のコンデンサを常に十分な電位に充電させることができる。
【００７８】
図６は、すべての画像データに対して、図５で示した制御を行った場合のサブフィールドデータ立上り回数検出器８により検出される画面垂直方向のデータ立上り回数とデータパルスの回収電位Ｖｍｉｄの関係を表したものである。横軸には、電力回収回路９により供給されるデータドライバＩＣ１０がパネルへ負荷する画面垂直方向のデータ立上り回数が最大となるときを１００％とし、その相対比で表している。
【００７９】
例えば、ある放電セルが点灯もしくは非点灯し、隣接するすべての放電セルが非点灯もしくは点灯するような市松模様の画像データを検出した場合が最も立上り回数が多く、このときが１００％となる。また、放電セルすべてが非点灯となる場合は０％であり、放電セルすべてが点灯となる場合は、サブフィールドデータ立上り回数検出器８では、連続してハイレベルのデータを検出するため、立上り回数は１となる。
【００８０】
図に示されるように、立上り回数が多くなるほど、データドライバＩＣ１０がパネルへ負荷する充放電量は大きくなるため、回収電位は電圧Ｖｄａから電位Ｖｄａ／２の方向へ対数的に変位する。その結果、電力回収回路９より出力されるデータパルスの振幅も対数的に大きくなる。
【００８１】
次に、データドライバＩＣ１０の動作について説明する。図７は、データドライバＩＣ１０のある一例の動作を示す。あるサブフィールドにおいて、図中に示すような回収電位のデータパルスがデータドライバＩＣ１０の電源ラインに出力されているものとする。
【００８２】
制御信号Ｓ１１〜Ｓ１ｎは、データ立上り信号を反転した信号が入力される。
【００８３】
制御信号Ｓ１１には、▲１▼、▲２▼のタイミングでローとなり、トランジスタＱ１１がオンし、トランジスタＱ２１がオフする。このとき、データ電極Ｃｐ１には、電源ラインに出力された駆動パルスが印加される。
【００８４】
次に、▲３▼のタイミングで制御信号Ｓ１１はハイとなり、トランジスタＱ１１がオフし、トランジスタＱ２１がオンする。このとき、駆動パルスは電位ＶＬから接地端子へ急激に下降する。
【００８５】
次に、▲４▼のタイミングで制御信号Ｓ１１はローとなり、トランジスタＱ１１がオンし、トランジスタＱ２１はオフする。このとき、駆動パルスは、電位ＶＬまで急激に上昇し、電源ラインに出力された駆動パルスをデータ電極Ｃｐ１へ印加する。
【００８６】
制御信号Ｓ１２は、▲１▼のタイミングでローとなり、トランジスタＱ１２はオンし、トランジスタＱ２２はオフする。このとき、駆動パルスはデータ電極Ｃｐ２へ印加される。
【００８７】
次に、▲２▼のタイミングでは、制御信号Ｓ１２がハイとなり、トランジスタＱ１２はオフし、トランジスタＱ２２はオンする。このとき、駆動パルスは電位ＶＬから接地端子へ急激に下降する。
【００８８】
次に、▲３▼のタイミングでは、制御信号Ｓ１２がローとなり、トランジスタＱ１２はオンし、トランジスタＱ２２はオフする。このとき、駆動パルスは、電位ＶＬまで急激に上昇し、電源ラインに出力された駆動パルスをデータ電極Ｃｐ２へ印加する。
【００８９】
次に、▲４▼のタイミングでは、制御信号Ｓ１２がハイとなり、トランジスタＱ１２はオフし、トランジスタＱ２２はオンする。このとき、駆動パルスは電位ＶＬから接地端子へ急激に下降する。制御信号Ｓ１ｎは、▲１▼から▲４▼まで常にローとなり、トランジスタＱ１ｎはオンし、トランジスタＱ２ｎはオフする。このとき、駆動パルスはデータ電極Ｃｐｎへ連続して印加される。
【００９０】
図８は、図５に示された制御により、データ電極へデータパルスを印加したときの画面垂直方向のデータ立上り回数とデータ電力との関係を表している。横軸は、市松模様が映像信号として入力されたとき、すなわち、データ立上り回数が最も多いときを１００％として、軸１００％より左方向には、点灯する放電セルが少ない方向、軸１００％より右方向には、点灯するセルが多い方向を示している。例えば、電力回収回路が接続されるデータドライバＩＣが負荷する画面領域において、すべての放電セルが非点灯となる場合は、軸左方向の０％となり、画面全体が白となるすべての放電セルが点灯となる場合は、データ立上り回数は１回であり、軸右方向のプロット１で示される。縦軸は、それぞれ、データ立上り回数に応じて得られるデータ電力を、すべての放電セルが点灯を示す場合に、従来の制御方式で駆動パルスを放電セルに印加したときのデータ電力を１００％としたときの相対比で示している。
【００９１】
図中点線が従来の制御方式で駆動パルスを放電セルに印加したときのデータ電力比であり、実線が、前述の制御方式で駆動パルスを放電セルに印加したときのデータ電力比である。
【００９２】
図中に示されるように、データ垂直方向立上り回数が０〜９５％（領域ａ）では、前述の制御手法によるデータ電力は従来手法によるデータ電力よりも小さく、電力削減が実現できる。しかしながら、データ垂直方向立上り回数が９５〜１００％（領域ｂ）では、前述の制御方式によるデータ電力が従来手法によるデータ電力を上回っている。どんな映像信号が入力されても、常に最小限のデータ電力で表示パネルを駆動するために、以下に示すような制御を行う。
【００９３】
図１のサブフィールドデータ立上り回数検出器８により検出されたデータ垂直方向立上り回数信号ＳＬは、サブフィールド処理器３に入力され、サブフィールド処理器３では、あらかじめ用意されたデータ垂直方向立上り回数が最大となる回数に対して９５％となる回数と入力されたデータ垂直方向立上り回数信号ＳＬとを比較し、９５％以下（領域ａ）である場合は、図５の制御を行える制御信号ＤＳをデータドライバ４に出力し、９５％以上（領域ｂ）である場合は、次に示す図９の制御を行える制御信号ＤＳをデータドライバ４に出力する。
【００９４】
図９は、サブフィールドデータ立上り回数信号がデータ立上り回数が最大となる回数の９５％以上である場合の書き込み期間にデータドライバＩＣの電源ラインにデータパルスを供給する電力回収回路９の書き込み期間の動作の一例を示すタイミング図である。
【００９５】
図９には、図３のノードＮ１の電圧およびトランジスタＱ１〜Ｑ４に入力される制御信号Ｓ１〜Ｓ４が示される。なお、制御信号Ｓ１〜Ｓ４は、データドライバ駆動制御信号ＤＳとしてサブフィールド処理器３から出力される信号である。
【００９６】
まず、期間ＴＡにおいて、制御信号Ｓ３がハイレベルになりトランジスタＱ３がオンする。このとき、制御信号Ｓ１、Ｓ２、Ｓ４はローレベルにありトランジスタＱ１、Ｑ２、Ｑ４はオフしている。したがって、回収コンデンサＣ１がトランジスタＱ３およびダイオードＤ１を介して回収コイルＬに接続され、回収コイルＬおよびパネル容量ＣｐによるＬＣ共振により、ノードＮ１の電圧が滑らかに上昇する。このとき、回収コンデンサＣ１の電荷がトランジスタＱ１０３、ダイオードＤ１および回収コイルＬを介してデータドライバＩＣの電源ラインへ放出される。
【００９７】
次に、期間ＴＢにおいて、制御信号Ｓ１がハイレベルになりトランジスタＱ１がオンし、制御信号Ｓ３がローレベルになりトランジスタＱ３がオフする。したがって、ノードＮ１の電圧がＶｄａまで上昇する。
【００９８】
次に、期間ＴＣにおいて、制御信号Ｓ１がローレベルになりトランジスタＱ１がオフし、制御信号Ｓ４がハイレベルになりトランジスタＱ４がオンする。したがって、回収コンデンサＣ１がダイオードＤ２およびトランジスタＱ４を介して回収コイルＬに接続され、回収コイルＬおよびパネル容量ＣｐによるＬＣ共振により、ノードＮ１の電圧が緩やかに降下する。このとき、パネル容量Ｃｐに蓄えられた電荷は、回収コイルＬ、ダイオードＤ２およびトランジスタＱ４を介して回収コンデンサＣ１に蓄えられ、電荷が回収される。
【００９９】
次に、期間ＴＤにおいて、制御信号Ｓ４がローレベルになりトランジスタＱ４がオフし、制御信号Ｓ２がハイレベルになりトランジスタＱ２がオンする。したがって、ノードＮ１の電圧が接地端子まで下降する。
【０１００】
上記の動作を書き込み期間において接地端子と電圧Ｖｄａとの間で周期的に繰り返し行う。この動作は、従来手法に同じである。
【０１０１】
図１０は、本発明の実施例に基づく制御を行った場合のサブフィールドデータ立上り回数検出器８により検出される画面垂直方向のデータ立上り回数と駆動パルスの回収電位Ｖｍｉｄの関係を表したものである。横軸には、電力回収回路９により供給されるデータドライバＩＣ１０がパネルへ負荷する画面垂直方向のデータ立上り回数が最大となるときを１００％とし、その相対比で表している。
【０１０２】
例えば、ある放電セルが点灯もしくは非点灯し、隣接するすべての放電セルが非点灯もしくは点灯するような市松模様の画像データを検出した場合が最も立上り回数が多く、このときが１００％となる。また、放電セルすべてが非点灯となる場合は０％であり、放電セルすべてが点灯となる場合は、サブフィールドデータ立上り回数検出器８では、連続してハイレベルのデータを検出するため、立上り回数は１となる。
【０１０３】
図に示されるように、データ立上り回数が最大時に対して９５％以下（領域ａ）の場合には、立上り回数が多くなるほど、データドライバＩＣ１０がパネルへ負荷する充放電量は大きくなるため、回収電位は電圧Ｖｄａから電位Ｖｄａ／２の方向へに変位する。その結果、電力回収回路９より出力されるデータパルスの振幅も立上り回数が多くなるほど大きくなる。
【０１０４】
データ立上り回数が最大時に対して９５％以上（領域ｂ）の場合には、図９の制御動作が行われるため、回収電位はＶｄａ／２に固定され、データパルスの振幅もＶｄａに固定される。
【０１０５】
このように、データ垂直方向立上り回数に応じて、適応的にデータドライバ４を駆動させる制御信号を切り替えることで、常に最小限のデータ電力で、データドライバ４を駆動させることが可能となる。
【０１０６】
また、本発明の実施例では、電力回収回路を制御するために、データ垂直方向の立上り回数を検出する検出手段を設けたが、図１１に示されるように、サブフィールドデータ立上り回数検出器の代わりにサブフィールドデータ立下り回数検出器８’を設け、データ垂直方向の立下り回数を検出し、立上り回数に応じて、電力回収回路に入力される制御信号を制御しても同様の電力削減効果が得られる。
【０１０７】
（第２の実施の形態）
次に本発明の第２の実施の形態を図面を用いて説明する。
【０１０８】
書き込み放電を行う際、スキャン電極に印加されるスキャンパルスは、放電電流による電圧降下が生じるため、サステイン電極とスキャン電極との間の実効電圧が低下する。そのため、書き込み放電を行える駆動マージンに制限が生じる。スキャン電極に印加されるスキャンパルスの書き込み放電電流による電圧降下を少しでも抑制し、書き込み放電をより安定に行うために、以下のことを行っても良い。
【０１０９】
図１２は、図３に示す電力回収回路９、データドライバＩＣ１０に、さらに、回収電位調整回路２１を追加したものである。本発明の実施例では、回収電位調整回路２１が調整手段に相当する。
【０１１０】
回収電位調整回路２１は、ＰＮＰトランジスタＱ５、ダイオードＤ３、Ｄ４、抵抗Ｒ１〜Ｒ３を含む。ダイオードＤ３は、ノードＮ３とトランジスタＱ５のエミッタ側の間に直列に接続され、ダイオードＤ４は、トランジスタＱ５のベース側とエミッタ側との間に接続される。抵抗Ｒ１は、電源端子Ｖ１とトランジスタＱ５のベース側に直列に接続され、抵抗Ｒ２は、トランジスタＱ５のベース側と接地端子との間に直列に接続される。抵抗Ｒ３は、トランジスタＱ５のコレクタ側と接地端子との間に直列に接続される。
【０１１１】
抵抗Ｒ１およびＲ２による抵抗分割により、トランジスタＱ５のベース側の電位は、電源端子Ｖ１に対して電圧Ｖｒの電位が供給される。トランジスタＱ５のエミッタ側に供給される電力回収回路９のコンデンサＣ１に蓄えられる回収電位Ｖｍｉｄが電圧Ｖｒよりも大きくなると、トランジスタＱ５はオンし、抵抗Ｒ３を介して、接地端子に回収電流が流れる。この動作により、電力回収回路９のコンデンサＣ１の電位は、電圧Ｖｒ以上とならないように回収電位Ｖｍｉｄを調整することができる。
【０１１２】
電力回収回路９は、例えば、画面水平方向に対して２つ構成され、電力回収回路９の出力つまりデータパルスをデータドライバＩＣ１０の電源ラインへそれぞれ分割されて印加される。
【０１１３】
図１３は、データ垂直方向立上り回数と電力回収回路の回収電位Ｖｍｉｄとの関係を示したものである。横軸は、立上り回数が最大となる回数を１００％とし、その比で表している。図中一点鎖線が回収電位調整回路２１を設けない場合の電力回収電位Ｖｍｉｄを表している。
【０１１４】
図に示されるように、データ立上り回数が少なくなるほど、回収電位Ｖｍｉｄは大きくなる。回収電位調整回路２１を設けると、回収電位が電圧Ｖｒに達すると、トランジスタＱ５がオンし、回収電流が接地端子へ流れるため、回収電位Ｖｍｉｄは、図１３太線で示されるように、領域ｃにおいて、電圧Ｖｒより大きくならない。つまり、電力回収回路９から出力されるデータパルスの振幅も回収電位Ｖｍｉｄが電圧Ｖｒに達すると、それ以上、振幅は小さくならない。
【０１１５】
次に、図１３の駆動回路構成の制御手法について説明する。図１４は、電力回収回路９の動作タイミングを示したものである。回収電位調整回路２１により回収電位が電圧Ｖｒに調整されている場合、制御信号Ｓ１〜Ｓ４の実線は、２つの電力回収回路へ入力される制御信号Ｓ１、Ｓ３、Ｓ４のタイミングを時間Ｔｒずらすことにより、電力回収回路より出力される駆動パルスは、２通りのタイミングでそれぞれのデータドライバＩＣ１０の電源ラインに供給される。
【０１１６】
例えば、放電セルすべてが点灯する場合、回収電位調整回路２１により回収電位が電圧Ｖｒに調整されているため、データパルスは、２つのタイミングでＰＤＰへ印加される。そのため、放電タイミングも２つに分散されるため、放電電流のピークが半減され、スキャン電極に印加されるスキャンパルスの放電電流による電圧降下も低減される。すなわち、書き込み放電がより安定な状態で行われる。
【０１１７】
図１５は、回収電位調整回路２１を設けた場合のデータ垂直方向立上り回数とデータ電力の関係を示したものである。図中太線が回収電位調整回路２１を設けた場合であり、一点鎖線が回収電位調整回路２１を設けない場合であり、図中点線が従来方式による場合である。領域ｃに示されるように、より安定した書き込み放電を行うために、回収電位調整回路２１を設けることにより、データ電力は最大限の削減効果を得ることはできないが従来方式より電力が増大することはない。
【０１１８】
また、本発明の実施例として、回収電位調整回路２１の代わりに、図１６に示されるように、ツェナーダイオードＤ５をコンデンサＣ１と接地端子との間に直列に接続しても同様の回収電位調整効果が得られる。
【０１１９】
さらに、本発明の実施例では、電力回収回路を、画面水平方向に対して２つ構成し、電力回収回路の出力つまり駆動パルスをデータドライバＩＣの電源ラインへそれぞれ分割して印加しているが、電力回収回路を画面水平方向に対して３つ構成し、電力回収回路の出力である駆動パルスをデータドライバＩＣの電源へそれぞれ３つに分割して印加して良い。
【０１２０】
【発明の効果】
本発明によれば、サブフィールドごとのデータ垂直方向の立上り回数に応じてデータパルスの振幅を制御しているので、入力された映像信号に対して、常に最小限のデータ電力で駆動パルスをＰＤＰへ印加することができる。その結果、ＰＤＰの消費電力を低減することができる。
【０１２１】
さらには、回収電位をある一定の電圧以上上昇させないように調整しているため、より安定した書き込み放電を行うことができる。
【図面の簡単な説明】
【図１】本発明の実施の形態によるプラズマディスプレイ装置の構成を示すブロック図
【図２】同プラズマディスプレイ装置に用いられるＡＤＳ方式を説明するための図
【図３】同プラズマディスプレイ装置のデータドライバの構成を示す回路図
【図４】同プラズマディスプレイ装置のサブフィールド処理器の構成を示すブロック図
【図５】図３に示す同プラズマディスプレイ装置の電力回収回路の書き込み期間の動作の一例を示すタイミング図
【図６】同タイミングによるデータ垂直方向立上り回数と回収電位の関係を示す図
【図７】図３に示す同プラズマディスプレイ装置のデータドライバＩＣの書き込み期間の動作の一例を示すタイミング図
【図８】図５に示すタイミングによるデータ垂直方向立上り回数とデータ電力の関係を示す図
【図９】図３に示す同プラズマディスプレイ装置の電力回収回路の書き込み期間の動作の一例を示すタイミング図
【図１０】本発明の第１の実施の形態によるデータ垂直方向立上り回数と回収電位の関係を示す図
【図１１】本発明のプラズマディスプレイ装置の他の構成を示すブロック図
【図１２】本発明の第２の実施の形態によるデータドライバの構成を示す回路図
【図１３】同回路図に示す回路構成によるデータ垂直方向立上り回数と回収電位の関係を示す図
【図１４】同回路図に示す電力回収回路の書き込み期間の動作の一例を示すタイミング図
【図１５】本発明の第２の実施の形態によるデータ垂直方向立上り回数とデータ電力の関係を示す図
【図１６】図１２の回路図と同様の効果のあるデータドライバの構成を示す回路図
【図１７】従来のプラズマディスプレイ装置のデータドライバの構成を示す回路図
【図１８】図１５に示す電力回収回路の書き込み期間の動作を示すタイミング図
【符号の説明】
１  Ａ／Ｄコンバータ
２  映像信号−サブフィールド対応付け器
３  サブフィールド処理器
４  データドライバ
５  スキャンドライバ
６  サステインドライバ
７  ＰＤＰ
８  サブフィールドデータ立上り（立下り）回数検出器
１１  アドレス電極
１２  スキャン電極
１３  サステイン電極
１４  放電セル
３１  データ立上り回数比較器
３２  Ｓ２制御タイミング決定部
３３  放電制御信号発生器
【図１】
2004212699.tif 000003
【図２】
2004212699.tif 000004
【図３】
2004212699.tif 000005
【図４】
2004212699.tif 000006
【図５】
2004212699.tif 000007
【図６】
2004212699.tif 000008
【図７】
2004212699.tif 000009
【図８】
2004212699.tif 000010
【図９】
2004212699.tif 000011
【図１０】
2004212699.tif 000012
【図１１】
2004212699.tif 000013
【図１２】
2004212699.tif 000014
【図１３】
2004212699.tif 000015
【図１４】
2004212699.tif 000016
【図１５】
2004212699.tif 000017
【図１６】
2004212699.tif 000018
【図１７】
2004212699.tif 000019
【図１８】
2004212699.tif 000020